(57)【要約】【課題】シール部材を用いずに蓋体のみによって容器本体との間の封止性を向上させた蓋付き容器を提供すること。【解決手段】上端縁に径方向外方に向けて突出する環状のフランジ部１３が設けられた有底筒状の容器本体２と、フランジ部１３に離脱可能に装着され、上端開口部２Ａを閉塞する蓋体３と、を備え、蓋体３が、周壁部１２内に離脱可能に嵌合された内筒部２２と、フランジ部１３の外周縁に離脱可能に外嵌された外筒部２４と、内筒部２２と外筒部２４とを接続する環状接続部２３と、を有し、フランジ部１３には、環状接続部２３に当接する封止突部１３Ａが形成されている。【選択図】図２
2019099206.tif 000002
【特許請求の範囲】
【請求項１】
上端縁に容器軸に交差する外方に向けて突出する環状のフランジ部が設けられた有底筒状の容器本体と、
前記フランジ部に離脱可能に装着され、前記容器本体の上端開口部を閉塞する蓋体と、を備え、
前記蓋体が、前記容器本体の周壁部内に離脱可能に嵌合された内筒部と、前記フランジ部の外周縁に離脱可能に外嵌された外筒部と、前記内筒部と前記外筒部とを接続する環状接続部と、を有し、
前記フランジ部及び前記環状接続部のうちの一方には、前記フランジ部及び前記環状接続部のうちの他方に当接する封止突部が形成されていることを特徴とする蓋付き容器。
【請求項２】
前記周壁部の内周面のうち前記内筒部との接触部分が、内方に突となる凸面を形成し、
前記内筒部の外周面のうち前記周壁部との接触部分が、外方に突となる凸面を形成していることを特徴とする請求項１に記載の蓋付き容器。
【請求項３】
前記蓋体が、前記内筒部を周壁とした有底筒状をなしていることを特徴とする請求項１または２に記載の蓋付き容器。
【発明の詳細な説明】
【技術分野】
【０００１】
本発明は、蓋付き容器に関する。
【背景技術】
【０００２】
この種の容器として、上端縁に容器軸に交差する外方に向けて突出する環状のフランジ部が設けられた有底筒状の容器本体と、容器本体のフランジ部に貼付されたシール部材と、を備えるものが知られている（例えば、特許文献１参照）。また、このような容器として、シール部材が貼付された容器本体のフランジ部に離脱可能に蓋体が装着された蓋付き容器も知られている。
【先行技術文献】
【特許文献】
【０００３】
【特許文献１】特開２００６−３０６４４８号公報
【発明の概要】
【発明が解決しようとする課題】
【０００４】
しかしながら、このような蓋付き容器においても、シール部材を用いずに蓋体のみによって容器本体内の内容物の封止性を維持することが求められている。
【０００５】
そこで、本発明は、シール部材を用いずに蓋体のみによって容器本体との間の封止性を向上させた蓋付き容器を提供することを目的とする。
【課題を解決するための手段】
【０００６】
本発明は、上記課題を解決するために以下のような手段を採用した。すなわち、本発明の蓋付き容器は、上端縁に容器軸に交差する外方に向けて突出する環状のフランジ部が設けられた有底筒状の容器本体と、前記フランジ部に離脱可能に装着され、前記容器本体の上端開口部を閉塞する蓋体と、を備え、前記蓋体が、前記容器本体の周壁部内に離脱可能に嵌合された内筒部と、前記フランジ部の外周縁に離脱可能に外嵌された外筒部と、前記内筒部と前記外筒部とを接続する環状接続部と、を有し、前記フランジ部及び前記環状接続部のうちの一方には、前記フランジ部及び前記環状接続部のうちの他方に当接する封止突部が形成されていることを特徴とする。
【０００７】
この発明では、少なくとも３か所において容器本体と蓋体とが当接しているので、このような封止構造を有しておらず単に蓋体を容器本体のフランジ部に係止させている従来の蓋付き容器と比較して、容器本体と蓋体との間の封止性が向上する。すなわち、容器本体と蓋体との間の封止は、容器本体の周壁部と蓋体の内筒部との間、容器本体のフランジ部と蓋体の環状接続部との間、及び、容器本体のフランジ部の外周縁と蓋体の外筒部との間、において形成されており、容器本体内の内容物は、蓋付き容器の外部へ漏洩するために、容器本体と蓋体との間に形成されているこれら封止箇所を通過する必要がある。
また、蓋体を容器本体に装着した状態では、蓋体の内筒部及び外筒部が容器本体の周壁部及びフランジ部を容器軸に交差する方向で挟み込んでいるので、蓋体が容器本体に対して容器軸に交差する方向で移動することが規制され、さらに、フランジ部及び環状接続部のうちの一方に設けられた封止突部がフランジ部及び環状接続部のうちの他方に当接しているので、蓋体が容器本体に対して容器軸方向で移動することが規制される。そのため、容器本体と蓋体との間の接触状態がより保持されることとなり、容器本体と蓋体との間の封止性がより確実に維持される。
したがって、容器本体と蓋体との間の封止性が向上する。
【０００８】
また、本発明の蓋付き容器では、前記周壁部の内周面のうち前記内筒部との接触部分が、内方に突となる凸面を形成し、前記内筒部の外周面のうち前記周壁部との接触部分が、外方に突となる凸面を形成してもよい。
この発明では、周壁部と内筒部とが互いに凸面同士で接触するので、周壁部と内筒部との間により確実に接触部分を形成できる。これにより、容器本体と蓋体との間の封止性がさらに向上する。
【０００９】
また、本発明の蓋付き容器では、前記蓋体が、前記内筒部を周壁とした有底筒状をなしもよい。
この発明では、シート状材料を押圧することによって蓋体を成形することが可能となり、蓋体の製造が容易になる。
【発明の効果】
【００１０】
この発明にかかる蓋付き容器によれば、少なくとも３か所において容器本体と蓋体とが当接しているので、容器本体と蓋体との間の封止性が向上する。また、蓋体が容器本体に対して移動することが規制されているので、容器本体と蓋体との間の封止性がより確実に維持される。
【図面の簡単な説明】
【００１１】
【図１】本発明の一実施形態にかかる蓋付き容器を示す軸方向部分断面図である。
【図２】図１の蓋付き容器を示す拡大断面図である。
【発明を実施するための形態】
【００１２】
以下、本発明による蓋付き容器の一実施形態を、図面に基づいて説明する。なお、以下の説明に用いる各図面では、各部材を認識可能とするために縮尺を適宜変更している。
本実施形態にかかる蓋付き容器１は、例えば液体と固体とを含む内容物を収容している。なお、内容物は、液体と固体との混合物に限定されない。
蓋付き容器１は、図１及び図２に示すように、内容物を収容する有底円筒状の容器本体２と、容器本体２に装着されて容器本体２の上端開口部２Ａを離脱可能に閉塞する有底円筒状の蓋体３と、を備える。
【００１３】
ここで、これら容器本体２及び蓋体３は、それらの中心軸線が共通軸上に位置する状態で配設されている。以下、この中心軸線を容器軸Ｏと称し、図１においてこの容器軸Ｏに沿って容器本体２から蓋体３に向かう方向を上方、その逆方向を下方とする。また、容器軸Ｏから見た平面視で容器軸Ｏに直交する方向を径方向、容器軸Ｏ回りで周回する方向を周方向とする。
【００１４】
容器本体２は、図１及び図２に示すように、円板状の底壁部１１と、底壁部１１の外周縁から上方に向けて連設された円筒状の周壁部１２と、周壁部１２の上端縁から径方向外方に突出する円環状のフランジ部１３と、を備える。
底壁部１１の外周縁には、円筒状の脚部１１Ａが下方に向けて突設されている。
周壁部１２は、下端から上端に向かうにしたがって拡径しており、周壁部１２の下端から周壁部１２の上下方向の中間部まで延在する下周壁部１５と、下周壁部１５に連設され、周壁部１２の上下方向の中間部から上端まで延在する上周壁部１６と、を有する。
【００１５】
下周壁部１５は、径方向外方に向けて突となるように湾曲している。一方、上周壁部１６は、下周壁部１５の上端から滑らかに連なっており、径方向内方に向けて突となるように湾曲している。なお、一の容器本体２の内部に他の容器本体２を収容するように容器本体２のみを複数積み重ねた際には、他の容器本体２の脚部１１Ａが一の容器本体２の底壁部１１上に当接し、一の容器本体２の周壁部１２の内周面と他の容器本体２の周壁部１２の外周面との間には、径方向において若干の隙間が形成されている。これにより、容器本体２のみを積み重ねたときに、他の容器本体２の周壁部１２が一の容器本体２の周壁部１２の内周面に引っ掛かることが回避される。
フランジ部１３の外周端面は、径方向外方に向けて突となるように丸み付けされている。また、フランジ部１３には、２条の封止突部１３Ａが径方向に間隔をあけて上方に向けて突設されている。
【００１６】
蓋体３は、円板状の底板部２１と、底板部２１の外周縁から上方に向けて連設された円筒状の内筒部２２と、内筒部２２の上端縁から径方向外方に延在する円環状の環状接続部２３と、環状接続部２３の外周縁から下方に向けて連設された円筒状の外筒部２４と、を備える。
【００１７】
底板部２１は、円板状の中央部３１と、中央部３１よりも下方に位置する円環状の外周縁部３２と、中央部３１の外周縁と外周縁部３２の内周縁とを接続する円環状の移行部３３と、を有する。
中央部３１は、脚部１１Ａの外径よりも大径とされている。また、移行部３３は、内周縁から径方向外方に向かうにしたがって下方に向かうように傾斜している。そして、外周縁部３２の外周縁は、周壁部１２の内周面から離間している。このように、底板部２１は、中央部３１が外周縁部３２に対して上方へ膨出しているので、底板部２１が平坦である場合と比較して上下方向の負荷に対する強度が強化されている。ここで、一の蓋付き容器１の蓋体３上に他の蓋付き容器１の容器本体２を積み重ねると、他の蓋付き容器１の脚部１１Ａが一の蓋付き容器１の底板部２１の中央部３１上に載置される。このとき、他の蓋付き容器１の重量による負荷は、一の蓋付き容器１の底板部２１の中央部３１によって受けられており、中央部３１が反転変形せず、また、内筒部２２が弾性変形することが抑制される。
【００１８】
内筒部２２の内径及び外径は、下端から上端に向かうにしたがって拡径しており、内筒部２２は、周壁部１２内に嵌合されている。内筒部２２は、内筒部２２の下端から上下方向の中間部まで延在する下内筒部３４と、内筒部２２の上下方向の中間部から上端まで延在する上内筒部３５と、を有する。
下内筒部３４は、下端が底板部２１の外周縁部３２に滑らかに連なっており、径方向外方に向けて突となるように湾曲している。
上内筒部３５は、径方向外方に向けて突となるように湾曲しているが、蓋体３を容器本体２に装着した状態で、上周壁部１６の内周面に押し付けられている。そのため、上内筒部３５の外周面と上周壁部１６の内周面との間には、面接触が形成されている。
環状接続部２３の下面には、封止突部１３Ａが当接している。
【００１９】
外筒部２４は、環状接続部２３の外周縁から順に下方に連設された嵌合筒部３６、第１直筒部３７、第１拡径筒部３８、第２直筒部３９及び第２拡径筒部４０を有する。
嵌合筒部３６は、上下方向の断面視でＣ字状をなしており、環状接続部２３の外周縁から下方に向けてフランジ部１３の外周縁を回り込むように延在している。そして、嵌合筒部３６は、フランジ部１３の外周縁部に外嵌されており、嵌合筒部３６の内周面は、フランジ部１３の外周端面に当接している。
第１直筒部３７の内径及び外径は、上下方向にわたってほぼ一定となっているが、第１直筒部３７には、径方向内方に陥没する陥没部３７Ａが周方向に等間隔をあけて複数形成されている。これにより、外筒部２４がフランジ部１３に対してより確実に装着される。
【００２０】
第１拡径筒部３８の内径及び外径は、上端から下端に向かうにしたがって漸次拡径しており、第１拡径筒部３８の下端は、フランジ部１３よりも径方向外方に位置している。
第２直筒部３９の内径及び外径は、上下方向にわたってほぼ一定となっており、第２直筒部３９の下端の上下方向の位置は、外周縁部３２と同等となっている。
第２拡径筒部４０の内径及び外径は、上端から下端に向かうにしたがって漸次拡径している。
【００２１】
次に、以上のような構成の蓋付き容器１の使用方法を説明する。
まず、容器本体２内に例えば液体と固体との混合物のような内容物を充填する。そして、蓋体３の内筒部２２を容器本体２の周壁部１２内に嵌合させると共に外筒部２４をフランジ部１３の外周縁部に外嵌させることにより、蓋体３を容器本体２に装着する。蓋体３を容器本体２に装着すると、容器本体２の上周壁部１６と蓋体３の上内筒部３５との間と、容器本体２のフランジ部１３に形成された２条の封止突部１３Ａと蓋体３の環状接続部２３との間と、容器本体２のフランジ部１３の外周縁部と蓋体３の嵌合筒部３６との間と、のそれぞれにおいて、容器本体２と蓋体３とが接触する。
【００２２】
なお、フランジ部１３には封止突部１３Ａが形成されており、フランジ部１３の外周縁部の上面と環状接続部２３との間には隙間が形成されるので、蓋体３を容器本体２に装着する際に環状接続部２３の外周縁が下方に向けて弾性変形することにより、嵌合筒部３６がフランジ部１３の外周端面を乗り越えてフランジ部１３に外嵌される。ここで、例えばフランジ部１３に封止突部１３Ａを設けずに封止突部１３Ａの高さの分だけフランジ部１３を厚くした場合には、蓋体３を容器本体２に装着する際に環状接続部２３の外周縁が下方に向けて弾性変形するための隙間がないので、嵌合筒部３６がフランジ部１３の外周端面を乗り越えにくくなる。
また、蓋体３を容器本体２に装着する際に、フランジ部１３の外周縁は、第１拡径筒部３８に当接した後、第１拡径筒部３８及び第１直筒部３７に沿って案内される。これにより、外筒部２４は、嵌合筒部３６がフランジ部１３の外周端面を乗り越える前に、径方向外方に向けて弾性変形する。これによっても、嵌合筒部３６の下端は、フランジ部１３の外周端面を乗り越えやすくなる。
【００２３】
蓋体３を容器本体２に装着した状態では蓋体３の内筒部２２及び外筒部２４が容器本体２の周壁部１２及びフランジ部１３を径方向で挟み込んでいるため、蓋体３の上内筒部３５の外周面は、容器本体２の上周壁部１６の内周面に押し付けられ、蓋体３の嵌合筒部３６の内周面は、容器本体２のフランジ部１３の外周端面に押し付けられている。さらに、蓋体３の嵌合筒部３６がフランジ部１３の外周縁部に外嵌され、フランジ部１３に設けられた２条の封止突部１３Ａが環状接続部２３に当接しているので、環状接続部２３は、封止突部１３Ａに押し付けられている。これにより、蓋体３の内筒部２２、外筒部２４及び環状接続部２３が容器本体２の周壁部１２及びフランジ部１３に対して動くことがより確実に規制されている。そのため、蓋体３と容器本体２との間の封止性が向上する。なお、第１直筒部３７に陥没部３７Ａが設けられているので、不意の衝撃などによって意図せず蓋体３が容器本体２から取り外されにくくなっている。
以上のようにして蓋付き容器１を組み立てる。
【００２４】
蓋体３を容器本体２から取り外す際には、例えば蓋体３の第２拡径筒部４０を把持して径方向外方に引っ張って外筒部２４を径方向外方に弾性変形させる。これにより、嵌合筒部３６とフランジ部１３の外周縁部との係合を解除し、この状態で蓋体３を引っ張り上げる。蓋付き容器１では、容器本体２と蓋体３との封止性を向上させるために、蓋体３の内筒部２２を容器本体２の周壁部１２内に嵌合すると共に外筒部２４をフランジ部１３の外周縁部に外嵌させることにより、蓋体３が容器本体２に対して強固に取り付けられている。しかし、上述のように蓋体３にフランジ部１３よりも下方に延在する第２拡径筒部４０などが形成されているので、この第２拡径筒部４０を把持して操作することにより、容易に蓋体３を容器本体２から取り外すことができる。
【００２５】
このような蓋付き容器１では、蓋付き容器１内に収容されている内容物が外部に漏洩しようとした際に、まず、内容物の漏洩を容器本体２の上周壁部１６と蓋体３の上内筒部３５との間に形成されている接触部分で阻止し、内容物がこの接触部分を通過した場合であっても、フランジ部１３に形成された２条の封止突部１３Ａと環状接続部２３との間の接触部分、及び、フランジ部１３の外周縁部と嵌合筒部３６との間の接触部分で内容物の漏洩を阻止する。
【００２６】
そのため、このような蓋付き容器１では、例えば水を内容物して収容した状態で蓋付き容器１を横転させると、室温において、本発明にかかる蓋付き容器１のような封止機能を有しておらず単に蓋体を容器本体のフランジ部に係止させている従来の蓋付き容器では１０秒程度で水が漏洩する一方で、３０分以上水の漏洩が認められなかった。したがって、本発明にかかる蓋付き容器１では、容器本体２と蓋体３との間の封止性が向上しており、特に液体が内容物として含まれている場合に、この液体の液漏れに対して効果的な良好な封止性を提供していることがわかる。
【００２７】
以上、本実施形態にかかる蓋付き容器１によれば、少なくとも３か所において容器本体２と蓋体３とが当接しているので、容器本体２と蓋体３との間の封止性が向上し、特に内容物が液体を含む場合にこの液体の液漏れに対する良好な封止性をもたらす。また、蓋体３の容器本体２に対する上下方向及び径方向の移動が規制されているので、容器本体２と蓋体３との間の封止性がより確実に維持される。
ここで、周壁部１２の上周壁部１６と内筒部２２の上内筒部３５とが互いに凸面同士で接触しているので、容器本体２と蓋体３との間の封止性がさらに向上する。
さらに、シート状材料を押圧することによって蓋体３を成形することが可能となるので、蓋体３の製造が容易になる。
【００２８】
なお、本発明は上記実施形態に限定されるものではなく、本発明の趣旨を逸脱しない範囲において種々の変更を加えることができる。
例えば、蓋体は、上記実施形態では内筒部を周壁とした有底円筒状をなしているが、他の構成を有していてもよい。例えば、蓋体は、有頂円筒状をなしており、円板状の天板部と、天板部の外周縁から下方に向けて延在する円筒状の外筒部と、外筒部よりも径方向内方において天板部から下方に向けて延在する円筒状の内筒部と、を備えている。ここで、天板部の外周縁部は、内筒部の上端と外筒部の上端とを接続する環状接続部としての機能も有している。
また、周壁部のうち内筒部との接触部分が径方向内方に突となる凸面を形成し、内筒部のうち周壁部との接触部分が径方向外方に突となる凸面を形成しているが、いずれか一方のみを凸面としてもよく、双方を凸面としなくてもよい。
封止突部は、フランジ部に２条形成されているが、少なくとも１条形成されていればよく、１条や３条以上形成されていてもよい。また、封止突部は、環状接続部に形成されてもよく、フランジ部及び環状接続部双方に形成されてもよい。
容器本体及び蓋体は、円筒状をなしているが、円筒状以外の角筒状など、他の形状であってもよい。
【産業上の利用可能性】
【００２９】
この発明によれば、シール部材を用いずに蓋体のみによって容器本体との間の封止性を向上させた蓋付き容器に関して、産業上の利用可能性が認められる。
【符号の説明】
【００３０】
１  容器、２  容器本体、２Ａ  上端開口部、３  蓋体、１２  周壁部、１３  フランジ部、１３Ａ  封止突部、２２  内筒部、２３  環状接続部、２４  外筒部
【図１】
2019099206.tif 000003
【図２】
2019099206.tif 000004